(57)【要約】【課題】チューブ容器の内容物が少なくなると胴部の上部、肩部や口部に残った内容物が、肩部が肉厚となっていることから押し潰しにくくなり残ってしまうという問題があった。【解決手段】内袋２０と外袋１０からなる二重構造のチューブ容器１であって、外袋が筒状の胴部４、胴部の一端に融着された肩部３、肩部の中央に起立する口部２を有するプラスチック樹脂を主体とするラミネートチューブであり、内袋は外袋より薄肉なプラスチック樹脂製の袋体であって内容物が充填され、外袋と内袋は口部において分離可能に係合しており、口部と反対側の外袋の端部５は内袋から離隔して偏平状にヒートシールされ、ヒートシールされた部位の少なくとも一方の側端部に切込み８が設けられている。【選択図】図１
2018030606.tif 000002
【特許請求の範囲】
【請求項１】
内袋と外袋からなり一端に口部を有する二重構造のチューブ容器であって、外袋が筒状の胴部と、筒状の胴部の一端の周縁に外周部が融着された肩部と、肩部の中央に起立する口部とを有するプラスチック樹脂を主体とするラミネートチューブであり、内袋は外袋より薄肉なプラスチック樹脂製の袋体であって内容物が充填され、外袋と内袋は口部において分離可能に係合しており、口部と反対側の外袋の端部は内袋から離隔して偏平状にヒートシールされ、ヒートシールされた部位の少なくとも一方の側端部に切込みが設けられていることを特徴とするチューブ容器。
【請求項２】
内袋が、プラスチック樹脂をブロー成型して作成され一端に口部が設けられたブローチューブであることを特徴とする請求項１に記載のチューブ容器。
【請求項３】
外袋の口部内面に設けられた凹凸構造と、内袋の口部外面に設けられた凹凸構造が嵌合して係合していることを特徴とする請求項１または請求項２のいずれかに記載のチューブ容器。
【請求項４】
前記凹凸構造よりも根元側の外袋の口部に、易カット線が設けられていることを特徴とする請求項３に記載のチューブ容器。
【請求項５】
内袋が、一対のプラスチックフィルムまたはその積層体の周縁を貼り合せ、一端に口部が設けられたパウチ袋であることを特徴とする請求項１に記載のチューブ容器。
【請求項６】
外袋の口部の先端の直径上の２箇所にスリットが設けられ、内袋であるパウチ袋の周縁シール部の口部先端近傍に外側に略直角に広がった部分が設けられ、広がった部分を前記スリットに挟んで外袋と内袋が係合していることを特徴とする請求項５に記載のチューブ容器。
【請求項７】
外袋の口部の内面と内袋の口部の外面が一部で接着される部分接着部が設けられて係合していることを特徴とする請求項１、請求項２または請求項５のいずれかに記載のチューブ容器。
【発明の詳細な説明】
【技術分野】
【０００１】
本発明は、練り歯磨き等の日用品などに使用されるチューブ容器に関し、特に内容物を無駄なく使い切ることができるチューブ容器に関する。
【背景技術】
【０００２】
チューブ容器は内容物として、半固形状のものを収納し、搾り出すことのできる容器である。その形状は断面が円形あるいは楕円形の中空の筒状の構造で、内容物を搾り出す口部と蓋を一方の端部に有し、もう一方の端部であるエンド部は、内容物充填後にヒートシールなどで閉じられている。
【０００３】
チューブ容器の材質は、たとえばアルミニウムや錫、鉛などの金属を用いたものもあり、空気によって変質しやすい内容物には適しているが、容器としての弾力性や復元性には欠けている。そのため近年はプラスチック材料を用いた、たとえばブロー成型チューブあるいはラミネートチューブなどが主流になっている。
【０００４】
またチューブ容器の用途は歯磨き、洗顔料などのトイレタリー用品やクリームなどの化粧品、塗り薬などの薬品類、ペースト状の食品や香辛料、接着剤など日常生活に密着して幅広く用途を広げている。しかしながら実際にチューブ容器を使用する場面では、図９（ａ）に例示するように胴部に手指で圧力を加えるだけで、内容物を搾り出して取り出すことができ、利便性は大変優れている半面、問題点も指摘されている。
【０００５】
たとえばその製造方法において、ラミネートチューブの場合には、チューブ用のプラスチックフィルム積層体を円筒形にした後、一方の開口部はヒートシールして閉鎖されるが、他方の開口部は肩部、口部にプラスチックパーツを融着して形成されるため、内容物が少なくなると図９（ｂ）に例示するように胴部の上部、肩部や口部に残った内容物９６が、肩部が肉厚となっていることから押し潰しにくくなり残ってしまうという問題があった。このため、この残った内容物を押し出す種々の工夫が提案されている。
【０００６】
例えば特許文献１には、チューブ容器の肩部から胴部にかけて三角形状の凹溝と折り返し用凹溝を設け、各凹溝に沿ってチューブ容器を折りたたむことでチューブ容器の胴部を偏平に押し潰せるようにし、その部分に残った内容物が口頸部から押し出されるようにしたチューブ容器が開示されている。
【０００７】
また特許文献２には、絞出口を設けた封止体を、破断除去部を介して筒状の胴部に連接させ、内容物が多いうちは内容物を絞出口から押し出し、内容物が少なくなってきたら破断除去部を切り取って封止体を取り外すことで大きな開口部を得て、大きな開口部から内容物と取り出せるようにした包装チューブが開示されている。
【先行技術文献】
【特許文献】
【０００８】
【特許文献１】特許第３８０８２８３号公報
【特許文献２】特許第５２７２３１６号公報
【発明の概要】
【発明が解決しようとする課題】
【０００９】
しかしながら特許文献１に開示されるようなチューブ容器では、口頸部の直径が胴部の直径に対して比較的小さい場合は口頸部に残った内容物の取出しが困難で、また肩部が胴
部から円錐台状に張り出している形状の場合は、さらに肩部に残った内容物も残ってしまうという問題点があった。
【００１０】
また特許文献２に開示されているような包装チューブでは、使用途中で破断除去部を取り外す手間がかかるうえ、取り外された封止体の内部に残留する内容物は、封止体が取り去られるときに一緒に取り去られることとなって無駄になってしまうという問題点があった。
【００１１】
本発明は上記のような課題を解決するためになされたもので、チューブ容器が、ラミネートチューブの外袋と、これと口部で係合する柔軟で容易に押し潰すことができる内容物を収納する内袋からなる二重袋となっており、内袋を外袋から分離可能とすることで、内袋に収納される内容物が少なくなった際に内袋を外袋から分離し、内袋を押し潰しながら口部から内容物を押し出すことで、内容物を残りなく取り出すことが可能なチューブ容器を提供するものである。
【課題を解決するための手段】
【００１２】
上記課題を解決するため、本発明の請求項１に係る発明は、
内袋と外袋からなり一端に口部を有する二重構造のチューブ容器であって、外袋が筒状の胴部と、筒状の胴部の一端の周縁に外周部が融着された肩部と、肩部の中央に起立する口部とを有するプラスチック樹脂を主体とするラミネートチューブであり、内袋は外袋より薄肉なプラスチック樹脂製の袋体であって内容物が充填され、外袋と内袋は口部において分離可能に係合しており、口部と反対側の外袋の端部は内袋から離隔して偏平状にヒートシールされ、ヒートシールされた部位の少なくとも一方の側端部に切込みが設けられていることを特徴とするチューブ容器である。
【００１３】
また、請求項２に係る発明は、
内袋が、プラスチック樹脂をブロー成型して作成され一端に口部が設けられたブローチューブであることを特徴とする請求項１に記載のチューブ容器である。
【００１４】
また、請求項３に係る発明は、
外袋の口部内面に設けられた凹凸構造と、内袋の口部外面に設けられた凹凸構造が嵌合して係合していることを特徴とする請求項１または請求項２のいずれかに記載のチューブ容器である。
【００１５】
また、請求項４に係る発明は、
前記凹凸構造よりも根元側の外袋の口部に、易カット線が設けられていることを特徴とする請求項３に記載のチューブ容器である。
【００１６】
また、請求項５に係る発明は、
内袋が、一対のプラスチックフィルムまたはその積層体の周縁を貼り合せ、一端に口部が設けられたパウチ袋であることを特徴とする請求項１に記載のチューブ容器である。
【００１７】
また、請求項６に係る発明は、
外袋の口部の先端の直径上の２箇所にスリットが設けられ、内袋であるパウチ袋の周縁シール部の口部先端近傍に外側に略直角に広がった部分が設けられ、広がった部分を前記スリットに挟んで外袋と内袋が係合していることを特徴とする請求項５に記載のチューブ容器である。
【００１８】
また、請求項７に係る発明は、
外袋の口部の内面と内袋の口部の外面が一部で接着される部分接着部が設けられて係合し
ていることを特徴とする請求項１、請求項２または請求項５のいずれかに記載のチューブ容器である。
【発明の効果】
【００１９】
請求項１に記載の発明によれば、内容物が多く残っているうちは外袋の胴部を押すことにより口部から内容物を押し出し、内容物が少なくなって外袋のラミネートチューブの肩部、口部などに残った内容物を押し出せなくなったときには、外袋を切り裂いて開口を設けて内袋を外袋から分離して取り出し、外袋よりも薄肉であって柔軟で手で略平坦に押し潰すことができる内袋を押し潰すことで残った内容物を残りなく取り出すことができるチューブ容器を提供できる。
【００２０】
請求項２に記載の発明によれば、内袋をブローチューブとすることで、押し潰すことが容易な内袋を単純な工程で作成できるチューブ容器を提供できる。
【００２１】
請求項３に記載の発明によれば、外袋と内袋が凹凸構造で嵌合するため、外袋と内袋の口部が一体化して内容物の漏れがなく、キャップにより封止することができるチューブ容器を提供できる。
【００２２】
請求項４に記載の発明によれば、外袋の口部を易カット線で切り取るため、外袋と内袋が嵌合している部分が無くなり、内袋の内容物が少なくなったときに内袋を外袋から引き抜くときに引っかかりなく容易に行うことができる。
【００２３】
請求項５に記載の発明によれば、内袋をパウチ袋とすることで、より容易に内袋を平坦に押し潰して内容物を取り出すことができるチューブ容器を提供できる。
【００２４】
請求項６に記載の発明によれば、外袋の先端のスリットにパウチ袋の周縁シール部を引っ掛けるようにして保持でき、外袋と内袋との係合が安定すると共に内袋の分離も容易で、キャップを不要とすることも可能なチューブ容器を提供できる。
【００２５】
請求項７に記載の発明によれば、容易に係合のための部位を設けることができ、かつ内袋を分離する際には手で引っ張ることで容易に取り外せるチューブ容器を提供できる。
【図面の簡単な説明】
【００２６】
【図１】ブローチューブを内袋とした本発明の一実施形態を示す断面模式図である。
【図２】内袋を分離した状態を説明する断面模式図である。
【図３】分離した内袋を押し潰して内容物を押し出す状況の説明図である。
【図４】口部に易カット線を設けた場合の内袋の分離過程の説明図である。
【図５】パウチ袋を内袋とした本発明の一実施形態を示す断面模式図である。
【図６】内袋を分離した状態を説明する断面模式図である。
【図７】口部にスリットを設けた外袋の模式図である。
【図８】パウチ袋の口部の構造と分離の過程の説明図である。
【図９】従来のチューブ容器で内容物を押し出す状況の模式図である。
【発明を実施するための形態】
【００２７】
以下、本発明を実施するための形態について、図を参照しながら詳細な説明を加える。ただし本発明はここに示す例にのみ限定されるものではない。本発明は請求項によって限定されるものである。
【００２８】
図１は、本発明のチューブ容器の第一の実施形態の断面を示す模式図である。チューブ
容器１は、外袋１０がラミネートチューブであり、内袋２０がブロー成型チューブである二重袋の構造となっている。外袋１０は、公知のラミネートチューブと基本的には同様の構成であり、プラスチックシートまたはその積層体からなる円筒形の胴部４、その一端に円形、楕円形または長円形の笠状のプラスチック成形体である肩部３が融着され、肩部３の中央に円筒状に起立して先端が開口するプラスチック成形体である口部２を有し、胴部の他端は図面の法線方向から平坦状に押し潰されてシールされたエンド部５となっている。エンド部５の側端部には、内袋２０を分離して取り出す際の開口を設けるためにエンド部５を切り裂くきっかけとなる切込み８が、両側端に設けられている。切り込み８は片側の側端部のみであっても良い。
【００２９】
胴部４に用いられるプラスチックシートは、通常のラミネートチューブに用いることができるものであれば特に制限はなく、内容物や要求特性により、紙、金属箔、金属蒸着層、無機酸化物蒸着層、印刷層、シーラント層などを適宜積層しても良い。プラスチックシートとしては、ポリエチレン樹脂、低密度ポリエチレン樹脂、高密度ポリエチレン樹脂、延伸ポリエチレン樹脂、ポリプロピレン樹脂、ポリエチレンテレフタレート樹脂、延伸ポリエチレンテレフタレート樹脂、エチレン−ビニルアルコール共重合樹脂、ナイロン樹脂、ポリ塩化ビニリデン樹脂、アクリロニトリル共重合樹脂などからなるシートを好適に用いることができる。
【００３０】
口部２には、内袋２０と係合させるための凹凸部６が設けられている。内袋２０側の口部２２にも対応する形状の凹凸部２６が設けられている。図１では外袋１０側が凹、内袋側が凸の形状であるが、逆であっても良い。外袋１０と内袋２０を係合させるためには、外袋１０の口部２の内径と内袋２０の口部２２の外径を同等として、内袋２０の口部２２を外袋１０の口部２に挿入したときに樹脂同士の摩擦により係合させるようにしても良いが、このように係合のための構造を設けると係合が安定し好適である。
【００３１】
口部２、２２には封止するためキャップ３０を被せることができる。口部２先端付近に、キャップ３０と係合するためのリング状のリブ７が周回して設けられている。キャップ３０の外袋１０、内袋２０の口部を封止する部分には通常、紙、不織布などのシール材やガスバリア材３１が挿入されているが、内容物が収納されている内袋２０の封止を効果的に行うためには、外袋１０の口部２の先端は内袋２０の口部２２の先端よりも突出していないことが好ましい。口部２及び肩部３は、高密度ポリエチレン樹脂、直鎖状低密度ポリエチレン樹脂などを公知の成型技術、例えば射出成型、圧縮成型などで形成することができる。
【００３２】
内袋２０は、ポリエチレン、ポリプロピレン、ポリスチレン等の樹脂をブロー成型することで作成されたチューブであり、継ぎ目等の無い一体の成形体である。外袋よりも薄肉で柔軟な構造となっているため、全体を手で押し潰すことが可能となっている。内袋２０は収納部９に内容物を収納することができる。内袋２０の口部２２と反対の端部は成型時に封止されており、外袋１０のシール部であるエンド部５とは間隔があいている。これにより、内袋２０を外袋１０から分離して取り出すときに支障が無くすることができる。
【００３３】
内袋２０の収納部９に収納された内容物を取り出すには、まず外袋１０の胴部４を押すことで内袋２０も押され、口部２２の開口から内容物が押し出されてくる。内容物が次第に少なくなってくると、プラスチック成形体である外袋１０の口部２、肩部３は剛性が高いことからその近傍の胴部４は押し潰しにくくなり、その部分に残った内容物は押し出すことが困難になる。そうなったときには外袋１０のエンド部５を切込み８から切裂き、開口部１５を設け、次いで内容物が少なくなった内袋２０を開口部１５側に引っ張ると、図２に示すように内袋２０が外袋１０から分離し、外に取り出すことができる。
【００３４】
このとき嵌合している凹凸部６、２６は、内袋２０が薄肉で柔軟であることから内袋２０を引っ張ることで外すことができる。取り出した内袋２０は図３に示すように収納部を丸めて、あるいはまた折りたたむなどして口部２２にわたって押し潰し、残った内容物を口部２２から押し出すことができる。
【００３５】
図４は、口部２についての別の実施形態を説明する断面模式図である。図４（ａ）に示す様に外袋１０の凹凸部６よりも根元側にハーフカット状の易カット線１１が周回して設けられている。内袋２０を分離する際には、この易カット線１１に沿って口部２を切裂き、図４（ｂ）の様に先端部を取り除いて内袋２０の凹凸部２６を露出させることができ、より容易に図４（ｃ）に示すように内袋２０を引き出して分離することが可能となる。易カット線１１には別に切り取りやすくするための摘み（図示せず）を設けても良い。
【００３６】
図５は本発明のチューブ容器の第二の実施形態を示す断面模式図である。チューブ容器５０は、外袋１０がラミネートチューブであり、内袋４０がプラスチックフィルムまたはその積層体を周縁部で貼り合わせたパウチ袋である二重袋の構造となっている。外袋１０は第一の実施形態と同じく公知のラミネートチューブと基本的には同様の構成であり、第一の実施形態と口部２以外は同様の構成となっている。
【００３７】
内袋４０と外袋１０は口部２、４４に設けられた接着部４１で互いに接着されている。接着は公知のプラスチックフィルム用の接着剤を使用して良く、あるいは熱融着させても良い。その際、十分な接着力を得ると共に内袋を分離する際には手で引っ張って分離できるようにするために、１点から４点程度のスポット的な接着とすると好適である。口部２、４４には第一の実施形態と同様に封止するためキャップ６０を被せることができる。
【００３８】
内袋４０は、一対の略矩形から口部４４を突出させた形状のプラスチックフィルムまたはその積層体を対向させて重ね合わせ、周縁部４２をヒートシールして袋状とされて内部に収納部４３が設けられている。内袋４０の口部４４と反対の端部の周縁部は、第一の実施形態と同様、外袋のシール部であるエンド部５とは間隔があいてヒートシールされており、内袋４０を外袋１０から分離して取り出すときに支障が無いようになっている。
【００３９】
内袋４０を構成するプラスチックフィルムもしくは積層体に用いるプラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロン−６、ナイロン−６６等）、ポリイミドなどが使用でき、要求品質や用途に応じて適宜選択することができる。
【００４０】
内袋４０を構成する積層体にはシーラント層を設けることができ、シーラント層の材質としては、熱可塑性樹脂のうちポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等を使用することができる。
【００４１】
内容物を取り出すには第一の実施形態と同様に外袋の胴部４を押すことで内袋４０も押され、口部４４から内容物を押し出すことができ、押し出すのが困難になったときは第一の実施形態と同様に、外袋１０のエンド部５を切込み８から切裂き、開口部１５を設け、
次いで内容物が少なくなった内袋４０を開口部１５側に引っ張り、図６に示すように内袋４０を外袋１０から分離して外に取り出す。内袋４０はプラスチックフィルムまたはその積層体を貼り合わせて形成したパウチ袋であるため、取り出し後は容易に平坦状に押し潰す、あるいは丸めるなどして残りの内容物を口部４４から押し出すことができる。
【００４２】
図７は、外袋１０の口部２の先端部分の直径上に２箇所のスリット１３を設けた状態の図であり、内袋４０との別の係合構造を説明する図である。また図８（ａ）は、図７の外袋と係合させる内袋４０の口部周辺を拡大した断面図である。図８（ａ）において、内袋４０は口部の先端部４５が他の周縁部４２と同様にシールされて封止されており、また先端近傍の両側のシールされた部分には略直角に張り出した張出し部４６があり、張出し部４６の先端側に切込み４７が設けられている。
【００４３】
図８（ｂ）は図７の外袋３の口部２に図８（ａ）の内袋４０の口部４４を挿入して係合させた状態の図である。このとき、封止された先端部４５は外袋の口部２から突出し、切込み４７は口部２の上部に位置し、張出し部４６はスリット１３に挟まった状態となるよう、設計される。張出し部４６はフィルムをシールした部分であるので柔軟に曲げることができ、挿入時には口部２に沿って折り曲げ、先端部４５を突出させたときに展開してスリット１３に挟まるようにすることで、内袋４０と外袋１０を係合させる。
【００４４】
内容物を取り出すには、図８（ｃ）に示すように切込み４７の部分で内袋を切り裂いて先端部４５を切取り、開口を設けて内容物を押し出す。内容物が少なくなり、外袋１０を押し潰しただけでは残りの内容物が押し出しにくくなったときは、外袋１０のエンド部５を切込み８から切裂き、開口部１５を設け、内袋４０を外袋１０の口部２から引き抜いて内袋４０と外袋１０を分離する。分離した後、パウチ袋である内袋４０を平坦に押し潰すことで残りの内容物を容易に取り出すことができる。
【００４５】
以上の様に、いずれの実施形態においても、外袋と内袋を分離可能とすることで、内容物を残り無く取り出すことができる。
【実施例】
【００４６】
以下のような２種の仕様にてチューブ容器を試作した。外袋の口部の内径と内袋の口部の外径は同等として摩擦による係合とした。練り歯磨きを充填した後、外袋に内袋を係合させて練り歯磨きの押し出しを行って評価した。
【００４７】
＜実施例１＞
（１）外袋
・胴部・・ポリエチレン／透明蒸着層付ポリエチレンテレフタレート／ポリエチレンの３層構成で厚み３９０μｍのフィルム積層体の端部を貼り合わせ直径４０ｍｍ、長さ１３３ｍｍの円筒状とした。
・肩部、口部・・高密度ポリエチレン樹脂のコンプレッション成型にて作成し、胴部と融着した。チューブ容器の全長は１６５ｍｍ。
（２）内袋
・ポリエチレン樹脂のブロー成型にて肉厚２００μｍで作成した（直径３５ｍｍ、長さ１６３ｍｍ）。
【００４８】
＜実施例２＞
・  外袋
・実施例１と同一の構成で作成した。
・  内袋
・ポリエチレンテレフタレートフィルム／ポリエチレンフィルムの積層体（長さ１６３ｍｍ、幅４０ｍｍ、厚み８０μｍ）の周縁を貼り合わせて袋状に作成した。
【００４９】
＜結果＞
実施例１、実施例２のチューブ容器ともに、内袋を分離して引き出すことで練り歯磨きを最後まで残りなく押し出すことが出来た。
【符号の説明】
【００５０】
１、５０・・・チューブ容器
２・・・・・・外袋の口部
３・・・・・・外袋の肩部
４・・・・・・外袋の胴部
５・・・・・・エンド部
６、２６・・・凹凸部
７・・・・・・リブ
８・・・・・・切込み
９、４３・・・収納部
１０・・・・・外袋
１１・・・・・易カット線
２０、４０・・内袋
２２、４４・・内袋の口部
３０、６０・・キャップ
４１・・・・・接着部
４２・・・・・周縁部
４５・・・・・先端部
４６・・・・・張出し部
４７・・・・・切込み
【図１】
2018030606.tif 000003
【図２】
2018030606.tif 000004
【図３】
2018030606.tif 000005
【図４】
2018030606.tif 000006
【図５】
2018030606.tif 000007
【図６】
2018030606.tif 000008
【図７】
2018030606.tif 000009
【図８】
2018030606.tif 000010
【図９】
2018030606.tif 000011